(57)【要約】      （修正有）【課題】電動機、発電機及び補機の構成の簡便化を図る。【解決手段】車軸及び補機７を駆動する駆動源として内燃機関及びモータジェネレータ５を具備する車両の駆動源の構造において、モータジェネレータ５のインナ５１が内燃機関のクランクシャフト１３からトルクの伝達を受けられるようにインナ５１とクランクシャフト１３とを接続し、モータジェネレータ５のアウタ５２を回転可能に支持させて、補機７がこのアウタ５２からトルクの伝達を受けられるように補機７とアウタ５２とを接続した。【選択図】図２
2014125136.tif 000002
【特許請求の範囲】
【請求項１】
車軸及び補機を駆動する駆動源として内燃機関及びモータジェネレータを具備するものであって、
モータジェネレータのインナが内燃機関のクランクシャフトからトルクの伝達を受けられるようにインナとクランクシャフトとを接続し、
モータジェネレータのアウタを回転可能に支持させて、補機がこのアウタからトルクの伝達を受けられるように補機とアウタとを接続した車両の駆動源の構造。
【請求項２】
前記アウタと前記補機との間に歯車伝動機構を介在させ、この歯車伝動機構によりトルクの伝達を行う請求項１記載の車両の駆動源の構造。
【請求項３】
前記モータジェネレータが発電する電力の大きさを制御することを通じて補機の回転を制御できる請求項１または２記載の車両の駆動源の構造。
【請求項４】
前記モータジェネレータが発電する電力の大きさを知得することを通じて補機による負荷の大きさを把握し、その負荷の大きさに応じて内燃機関の出力を補正する請求項１、２または３記載の車両の駆動源の構造。
【請求項５】
前記アウタと所定の固定部材との間に断接切換可能なクラッチを介在させ、このクラッチを接続することによりアウタの回転を制止することができる請求項１、２、３または４記載の車両の駆動源の構造。
【請求項６】
車両が減速走行する際に前記クラッチを接続する請求項５記載の車両の駆動源の構造。
【発明の詳細な説明】
【技術分野】
【０００１】
本発明は、内燃機関及びモータジェネレータにより車軸及び補機を駆動することのできる車両の駆動源の構造に関する。
【背景技術】
【０００２】
車両用の内燃機関には、ウォータポンプ、エアコンディショナの冷媒圧縮用コンプレッサ、発電機といった補機が付設されている。これらの補機は、内燃機関のクランクシャフトが出力する回転トルクの伝達を受けて駆動され、所望の性能を発揮する。クランクシャフトから各補機へのトルクの伝達は、ベルト及びこれが巻き掛けられるプーリを要素とする巻掛伝動機構を介して行われることが通例である（例えば、下記特許文献を参照）。
【０００３】
しかしながら、クランクシャフト及び各補機にプーリを取り付け、それらプーリにベルトを巻き掛けるにあたり、ベルトを滑らせずに各プーリにトルクを伝達できるよう、（各プーリにおいてベルトが接触する径の長さを確保するべく）プーリの配置には制限が課される。このため、補機の配設位置の設計の自由度が低下するきらいがある。加えて、ベルトの張力を適正に保つテンショナが必要となることもあって、部品点数が増加し、構成が複雑化する。
【先行技術文献】
【特許文献】
【０００４】
【特許文献１】特開２０１１−２０８７０７号公報
【特許文献２】特開２０１１−０９４５６７号公報
【発明の概要】
【発明が解決しようとする課題】
【０００５】
本発明は、電動機、発電機及び補機の構成の簡便化を図ることを主たる目的としている。
【課題を解決するための手段】
【０００６】
本発明に係る車両の駆動源の構造は、車軸及び補機を駆動する駆動源として内燃機関及びモータジェネレータを具備するものであって、モータジェネレータのインナが内燃機関のクランクシャフトからトルクの伝達を受けられるようにインナとクランクシャフトとを接続し、モータジェネレータのアウタを回転可能に支持させて、補機がこのアウタからトルクの伝達を受けられるように補機とアウタとを接続したことを特徴とする。
【０００７】
このようなものであれば、モータジェネレータのアウタと補機との間に歯車伝動機構を介在させ、この歯車伝動機構によりトルクの伝達を行い、補機を駆動することが可能となる。
【０００８】
あるいは、内燃機関のクランクシャフトを回転駆動する電動機と、内燃機関の出力を利用して発電する発電機と、補機を駆動する電動機とを一つのモータジェネレータにまとめることができる。
【０００９】
また、前記モータジェネレータが発電する電力の大きさを制御することを通じて、補機の回転を制御できるようになる。
【００１０】
前記モータジェネレータが発電する電力の大きさを知得することを通じて補機による負荷の大きさを把握し、その負荷の大きさに応じて内燃機関の出力を補正することも可能となる。
【００１１】
前記アウタと所定の固定部材との間に断接切換可能なクラッチを介在させ、このクラッチを接続することによりアウタの回転を制止するようにすれば、モータジェネレータを電動機として内燃機関のクランクシャフトを回転駆動するとき（始動時、高要求負荷時等）や、モータジェネレータを発電機として発電を行うとき（回生制動時、車載のバッテリの充電量の不足時、電装系の大電力要求時等）に、モータジェネレータの出力を好適に高めることができる。
【００１２】
前記クラッチは、例えば、車両が減速走行する際の回生制動時に接続する。
【発明の効果】
【００１３】
本発明は、電動機、発電機及び補機の構成の簡便化を図ることができる。
【図面の簡単な説明】
【００１４】
【図１】本発明の一実施形態における内燃機関の概略構成を示す図。
【図２】同実施形態における内燃機関及びモータジェネレータの構造的な関係を模式的に示す図。
【発明を実施するための形態】
【００１５】
本発明の一実施形態を、図面を参照して説明する。図１に、本実施形態における車両用内燃機関の概要を示す。本実施形態における内燃機関は、火花点火式の４ストロークエンジンであり、複数の気筒１（図１には、そのうち一つを図示している）を具備している。各気筒１の吸気ポート近傍には、燃料を噴射するインジェクタ１１を設けている。また、各気筒１の燃焼室の天井部に、点火プラグ１２を取り付けてある。点火プラグ１２は、点火コイルにて発生した誘導電圧の印加を受けて、中心電極と接地電極との間で火花放電を惹起するものである。
【００１６】
吸気を供給するための吸気通路３は、外部から空気を取り入れて各気筒１の吸気ポートへと導く。吸気通路３上には、エアクリーナ３１、電子スロットルバルブ３２、サージタンク３３、吸気マニホルド３４を、上流からこの順序に配置している。
【００１７】
排気を排出するための排気通路４は、気筒１内で燃料を燃焼させた結果発生した排気を各気筒１の排気ポートから外部へと導く。この排気通路４上には、排気マニホルド４２及び排気浄化用の三元触媒４１を配置している。
【００１８】
図２に示すように、本実施形態における内燃機関には、モータジェネレータ５及び補機７が付随している。モータジェネレータ５は、内燃機関のクランクシャフト１３ひいては車両の車軸（そして、駆動輪）を回転駆動する電動機（スタータ及びアシストモータ）としての機能と、クランクシャフト１３から駆動力の伝達を受けて発電する発電機としての機能とを両備する。
【００１９】
クランクシャフト１３及び車軸を回転駆動する場合、モータジェネレータ５は車載のバッテリ（図示せず）から電力の供給を受ける。翻って、クランクシャフト１３により回転駆動されて発電する場合には、その発電した電力を同バッテリに充電することができる。特に、モータジェネレータ５は、車両が減速するときに回生制動を行い、車両の運動エネルギを電気エネルギとして回収する。
【００２０】
モータジェネレータ５の内周側のインナ５１は、内燃機関のクランクシャフト１３と同軸に配置され、クランクシャフト１３に対して固定している。よって、インナ５１は、常にクランクシャフト１３に従動する。本実施形態において、インナ５１は永久磁石を内包する回転子であり、コイルを内包する電機子（固定子）であるアウタ５２に回転可能に支持される。
【００２１】
モータジェネレータ５の外周側にあるアウタ５２は、内燃機関または車体に対して回転可能であるように支持されている。アウタ５２のコイルとバッテリ回路との間は、例えばスリップリング等を用いて電気的に接続する。アウタ５２は、ワンウェイクラッチ６１を介して固定の部材（例えば、内燃機関のタイミングチェーンを被覆するチェーンカバー１４）に接続している。故に、アウタ５２の回転方向は、一方向に制限されている。
【００２２】
さらに、アウタ５２と固定の部材（チェーンカバー１４であることもあれば、内燃機関におけるチェーンカバー１４以外の部材であることもある）との間には、断接切換可能なクラッチとして、マグネットクラッチ６２を介在させてある。このマグネットクラッチ６２を接続すれば、アウタ５２を回転させずに固定することができる。
【００２３】
本実施形態において、補機の一種であるウォータポンプ７は、モータジェネレータ５のアウタ５２に対して接続している。アウタ５２とウォータポンプ７との間には、歯車伝動機構５２１、７１を介在させている。具体的には、アウタ５２に固設したギア５２１と、ウォータポンプ７の入力軸に固設したギア７１とを噛合させて、アウタ５２からウォータポンプ７にトルクを伝達できるようにしている。トルクの入力を受けたウォータポンプ７は、内燃機関の冷却水を吸引して吐出し、冷却水を循環させる。
【００２４】
内燃機関及びモータジェネレータ５の制御を司るＥＣＵ（Ｅｌｅｃｔｒｏｎｉｃ  Ｃｏｎｔｒｏｌ  Ｕｎｉｔ）０は、プロセッサ、メモリ、入力インタフェース、出力インタフェース等を有したマイクロコンピュータシステムである。
【００２５】
入力インタフェースには、車両の実車速を検出する車速センサから出力される車速信号ａ、クランクシャフト１３１０の回転角度及びエンジン回転数を検出するエンジン回転センサから出力されるクランク角信号ｂ、アクセルペダルの踏込量またはスロットルバルブ３２の開度をアクセル開度（運転者が要求する出力、いわば要求負荷）として検出するセンサから出力されるアクセル開度信号ｃ、吸気通路３（特に、サージタンク３３）内の吸気温及び吸気圧を検出する温度・圧力センサから出力される吸気温・吸気圧信号ｄ、機関の冷却水温を検出する水温センサから出力される冷却水温信号ｅ、吸気カムシャフトまたは排気カムシャフトの複数のカム角にてカム角センサから出力されるカム角信号ｆ、車載のバッテリの充電状態を示唆するバッテリ電圧及び／またはバッテリ電流を検出するセンサから出力されるバッテリ信号ｇ、モータジェネレータ５による（電動機としての）出力または（発電機としての）発電量を示唆する電機子電圧及び／または電機子電流を検出するセンサから出力される電機子信号ｈ等が入力される。
【００２６】
出力インタフェースからは、点火プラグ１２のイグナイタに対して点火信号ｉ、インジェクタ１１に対して燃料噴射信号ｊ、スロットルバルブ３２に対して開度操作信号ｋ、モータジェネレータ５（の制御回路）に対してこれを制御するための制御信号ｌ、マグネットクラッチ６２に対して接続信号ｍ等を出力する。制御信号ｌは、モータジェネレータ５をモータとして作動させるか、オルタネータとして作動させるかを指令するとともに、モータとして作動させる場合にモータジェネレータ５に対して印加する電圧（または、電流）の大きさや、オルタネータとして作動させる場合にモータジェネレータ５から出力させる電圧（または、電流）の大きさを制御する信号である。接続信号ｍは、マグネットクラッチ６２に通電してこれを接続するための信号である。
【００２７】
ＥＣＵ０のプロセッサは、予めメモリに格納されているプログラムを解釈、実行し、運転パラメータを演算して内燃機関の運転を制御する。ＥＣＵ０は、内燃機関の運転制御に必要な各種情報ａ、ｂ、ｃ、ｄ、ｅ、ｆ、ｇ、ｈを入力インタフェースを介して取得し、エンジン回転数を知得するとともに気筒１に充填される吸気量を推算する。そして、それらエンジン回転数及び吸気量等に基づき、要求される燃料噴射量、燃料噴射タイミング（一度の燃焼に対する燃料噴射の回数を含む）、燃料噴射圧、点火タイミング、モータジェネレータ５の出力または発電量、といった各種運転パラメータを決定する。ＥＣＵ０は、運転パラメータに対応した各種制御信号ｉ、ｊ、ｋ、ｌ、ｍを出力インタフェースを介して印加する。
【００２８】
本実施形態における車両は、いわゆるハイブリッド車両であることがある。
【００２９】
以降、本実施形態のＥＣＵ０による、内燃機関及びモータジェネレータ５の制御の態様を述べる。
【００３０】
＜内燃機関の始動＞内燃機関のクランクシャフト１３を回転駆動するクランキング時には、モータジェネレータ５のアウタ５２に通電して、モータジェネレータ５を電動機として機能させる。
【００３１】
このとき、インナ５１及びクランクシャフト１３が正方向に回転しようとすることの反作用として、アウタ５２がインナ５１及びクランクシャフト１３とは逆方向に回転しようとする。だが、その逆方向の回転は、ワンウェイクラッチ６１により阻止される。従って、モータジェネレータ５が発生させるトルクが、確実に内燃機関のクランクシャフト１３へと伝わる。アウタ５２は回転せず、アウタ５２と接続しているウォータポンプ７も回転しない。なお、マグネットクラッチ６２を接続してアウタ５２を固定しても構わないが、マグネットクラッチ６２に通電することによる電力消費が発生する。
【００３２】
内燃機関が完爆し、燃料の燃焼によるクランクシャフト１３の回転速度が、電力を消費して回転するモータジェネレータ５のインナ５１の回転速度を上回る状況となると、アウタ５２がクランクシャフト１３及びインナ５１に引き摺られて正回転を始める。同時に、電動機であったモータジェネレータ５が発電機に切り換わる。
【００３３】
＜補機の駆動＞補機であるウォータポンプ７を回転駆動するためには、モータジェネレータ５のアウタ５２を回転させる必要がある。内燃機関が燃料を燃焼させて運転を行っている場合、内燃機関が出力するエンジントルクをクランクシャフト１３からインナ５１を介してアウタ５２に伝達し、モータジェネレータ５のアウタ５２を回転させることが可能である。
【００３４】
即ち、マグネットクラッチ６２を接続しておらず、クランクシャフト１３及びインナ５１が正方向に回転しているときには、これらの回転に引き摺られるようにしてアウタ５２が正方向に回転する。その正方向の回転は、ワンウェイクラッチ６１によっても阻止されない。アウタ５２が正方向に回転すれば、アウタ５２に噛合しているウォータポンプ７の入力軸も回転する。
【００３５】
内燃機関のクランクシャフト１３により回転駆動されるアウタ５２の回転速度、そして回転トルクは、発電機として機能するモータジェネレータ５の発電量に応じて変化する。モータジェネレータ５の発電量を増加させれば、モータジェネレータ５において消費される（電力に変換される）エンジントルクが増大し、その分アウタ５２の回転トルクが低下する。ひいては、ウォータポンプ７に入力されるトルクが低下する。逆に、モータジェネレータ５の発電量を減少させれば、アウタ５２の回転トルクが増大し、ウォータポンプ７に入力されるトルクも増大する。
【００３６】
つまり、モータジェネレータ５がインバータ回路等を介して出力する電圧（または、電流）の大きさをＥＣＵ０から指令して調整すれば、ウォータポンプ７の出力である冷却水の吐出流量（または、吐出圧力）を操作することが可能である。例えば、アクセルペダルの踏込量が小さく、内燃機関に対する要求負荷が比較的低いときには、内燃機関の発熱量が少なく、冷却性能に対する要求が低い。従って、モータジェネレータ５の発電量を増加させ、ウォータポンプ７の出力を低下させる。翻って、アクセルペダルの踏込量が大きく、内燃機関に対する要求負荷が比較的高いときには、内燃機関の発熱量が多く、冷却性能に対する要求が高いことから、モータジェネレータ５の発電量を減少させ、ウォータポンプ７の出力を増大させる。
【００３７】
因みに、アウタ５２に逆電圧を印加し、モータジェネレータ５を電動機として機能させ、アウタ５２を正方向に回転させるようにして、ウォータポンプ７を回転駆動することも可能である。但し、この場合、インナ５１及びクランクシャフト１３を逆方向に回転させようとするトルクが発生する。故に、アウタ５２に逆電圧を印加するのは、内燃機関のクランクシャフト１３の回転が停止しているとき（アイドルストップまたはイグニッションスイッチＯＦＦ時）や、内燃機関の温度（冷却水温）が著しく上昇したとき等に限ることが望ましい。
【００３８】
＜発電＞車両の走行中にアクセルペダルの踏込量が０または０に近い所定値未満となった減速要求時には、車軸からクランクシャフト１３に還ってくる逆トルクを利用して回生発電を行うことができる。
【００３９】
あるいは、車載のバッテリの充電残量が低下した、若しくは車両の電装系が要求する電力が大きくなった場合にあっては、内燃機関が燃料を燃焼させて発生させるエンジントルクを利用して発電し、発電した電力をバッテリ及び／または電装系に供給する必要がある。
【００４０】
モータジェネレータ５が発電し出力する電力の大きさは、モータジェネレータ５のインナ５１とアウタ５２との相対的な回転速度差に依存する。補機７の駆動に関する項で述べたように、アウタ５２を固定せずとも発電することは可能である。だが、発電量を大いに増すためには、インナ５１とアウタ５２との回転速度差を高めるべく、アウタ５２を回転不能に固定するべきである。よって、回生制動時やバッテリの充電量の不足時等には、マグネットクラッチ６２に通電してこれを接続する。回生制動で回収できる電気エネルギは、マグネットクラッチ６２に通電することで消費されるエネルギよりも十分に大きい。
【００４１】
また、減速要求時には、一般に内燃機関の温度は低下する傾向にある。故に、アウタ５２を介してウォータポンプ７を回転させなくともよい。
【００４２】
＜コースト走行運転＞車両の走行中にアクセルペダルの踏込量が０または０に近い所定値未満となり、車両を惰性で走行させるコースト走行時には、気筒１への燃料供給を一時停止する燃料カットが実施されることもあり、できるだけ長い期間、車軸及び内燃機関のクランクシャフト１３の回転を維持することが求められる。そこで、コースト走行時には、マグネットクラッチ６２を接続してアウタ５２を固定しつつ、発電機となるモータジェネレータ５の発電量を最低（０であることがある）に抑える。さすれば、モータジェネレータ５において消費されるエンジントルクが減少する。
【００４３】
コースト走行時には内燃機関の温度が低下することから、アウタ５２を介してウォータポンプ７を回転させなくともよい。
【００４４】
＜低負荷運転＞アクセルペダルの踏込量が小さく、内燃機関に対する要求負荷が比較的低いときには、エンジン回転数が低いことが多く、そのために内燃機関の熱効率が低下する。そこで、内燃機関のクランクシャフト１３の回転をモータジェネレータ５によりアシストし、燃料消費を抑制して燃費の良化を図る。
【００４５】
クランクシャフト１３を回転駆動するモータアシスト時には、モータジェネレータ５を電動機として機能させる。即ち、モータジェネレータ５のアウタ５２に通電し、インナ５１を正方向に回転させる。内燃機関の始動に関する項で述べたように、反作用に起因するアウタ５２の逆方向の回転は、ワンウェイクラッチ６１により阻止される。マグネットクラッチ６２を接続してアウタ５２を固定する必要はない。
【００４６】
＜高負荷運転＞アクセルペダルの踏込量が大きく、内燃機関に対する要求負荷が比較的高いときには、モータジェネレータ５が内燃機関にとっての足かせとならないよう、マグネットクラッチ６２は切断しておき、アウタ５２が自由に回転できる状態とする。なおかつ、発電機となるモータジェネレータ５の発電量を最低に抑える。さすれば、アウタ５２がインナ５１及びクランクシャフト１３の回転に追従して正方向に回転し、モータジェネレータ５において消費されるエンジントルクが減少する。同時に、ウォータポンプ７を回転駆動し続けることができ、冷却水の循環が維持される。
【００４７】
＜加速の過渡期＞車両の発進時等、エンジン回転数及び車速が上昇してゆく過程では、当初モータジェネレータ５のアウタ５２に通電してモータジェネレータ５を電動機として機能させ、内燃機関をアシストする。しかる後、アウタ５２への通電を停止して、アウタ５２がインナ５１及びクランクシャフト１３に引き摺られて回転するようにする。
【００４８】
本実施形態の車両の駆動源の構造は、車軸及び補機７を駆動する駆動源として内燃機関及びモータジェネレータ５を具備するものであって、モータジェネレータ５のインナ５１が内燃機関のクランクシャフト１３からトルクの伝達を受けられるようにインナ５１とクランクシャフト１３とを接続し、モータジェネレータ５のアウタ５２を回転可能に支持させて、補機７がこのアウタ５２からトルクの伝達を受けられるように補機７とアウタ５２とを接続してなる。
【００４９】
本実施形態によれば、内燃機関が燃料を燃焼させて運転しているときに、クランクシャフト１３の回転駆動力をモータジェネレータ５のアウタ５２を介して補機７に伝達することが可能となる。内燃機関が停止しているときにも、モータジェネレータ５を電動機として稼働させ、アウタ５２を回転させてその回転トルクを補機７に伝達することが可能となる。
【００５０】
アウタ５２はインナ５１よりも外径が大きく、その分だけウォータポンプ等の補機７に近づけることができ、巻掛伝動機構（ベルト及びプーリ）以外の伝動機構、特にギア７１、５２１を介してアウタ５２と補機７とを接続することが容易である。いわば、アウタ５２がクランクシャフト１３と補機７とを接続するトルク伝達部材となるため、ベルトやプーリ、テンショナ等が不要となり、部品点数が削減され、構造も簡便になり、コストの低減に寄与し得る。また、内燃機関に対する補機７の配置の設計の自由度も増す。
【００５１】
さらに、前記モータジェネレータ５が発電する電力の大きさを制御することを通じて、補機７の回転を制御できることから、エンジントルクのうちそのときに必要な分だけを補機７に入力し、残りは電力に変換して回収することができる。また、内燃機関の回転速度によらず補機７の回転速度を制御できるので、エンジン回転数が高い状況において補機７が過回転となることを防止して補機７を保護できる。補機７の出力を高める（例えば、冷却水温が高く、ウォータポンプ７の吐出流量を増す）必要があるときには、モータジェネレータ５による発電量を低減させ、より多くのトルクを補機７に入力することもできる。
【００５２】
ＥＣＵ０は、モータジェネレータ５の発電している電力の大きさを、電機子電流及び／または電機子電圧をセンシングすることで推算することができる。発電機として機能するモータジェネレータ５の発電電力を操作して補機７の回転を制御している場合、その発電電力を知得することを通じて、補機７による負荷の大きさを把握することが可能である。エンジントルクを一定と仮定すると、発電電力が小さいほど、補機７が消費する機械エネルギが大きく、補機７による負荷が大きいと言える。
【００５３】
本実施形態のＥＣＵ０は、その補機７の負荷の大きさに応じて、内燃機関の出力を補正する。即ち、モータジェネレータ５の発電電力が小さく、補機７による負荷が大きい場合には、そうでない場合と比較して、気筒１に充填される吸気量を増量（スロットルバルブ３２の開度を拡大）し、燃料噴射量を増量する。補機７の負荷を直接計測する計測器を必要としないことも利点である。
【００５４】
前記アウタ５２と所定の固定部材１４との間に断接切換可能なクラッチ６２を介在させ、このクラッチ６２を接続することによりアウタ５２の回転を制止できるため、モータジェネレータ５による発電量を増したいときにはアウタ５２を固定し、モータジェネレータ５による発電量を減らして補機７を駆動したいときにはアウタ５２の固定を解除するというように、その時々の要請に応じて柔軟に切り換えを行うことが可能である。
【００５５】
車両が減速走行する際に前記クラッチ６２を接続すれば、回生制動により回収する電力を増やすことができ、燃費性能のより一層の向上に資する。
【００５６】
並びに、本実施形態の車両の駆動源の構造は、車軸を駆動する駆動源として内燃機関及びモータジェネレータ５を具備するものであって、モータジェネレータ５のインナ５１が内燃機関のクランクシャフト１３からトルクの伝達を受けられるようにインナ５１とクランクシャフト１３とを接続し、モータジェネレータ５のアウタ５２を回転可能に支持させるとともに、アウタ５２と所定の固定部材１４との間に断接切換可能なクラッチ６２を介在させて、このクラッチ６２を接続することによりアウタ５２の回転を制止することができるようにしてなる。
【００５７】
本実施形態によれば、エンジン回転数が高回転となるときにクラッチ６２を切断し、モータジェネレータ５のアウタ５２をインナ５１及びクランクシャフト１３に追従して回転可能な状態とすることで、モータジェネレータ５のコイルを流れる電流の過剰な増大を抑制することができる。ひいては、モータジェネレータ５の損傷を未然に防ぐことが可能となる。
【００５８】
加えて、前記アウタ５２と所定の固定部材１４との間にワンウェイクラッチ６１を介在させて、このワンウェイクラッチ６１によりアウタ５２の回転方向を一方向に限定しているため、内燃機関の始動時やモータアシスト時等に、電動機として機能するモータジェネレータ５のアウタ５２の逆方向の回転を阻止できる。ワンウェイクラッチ６１は、マグネットクラッチ６２のように電力を消費しないので、燃費面で有利となる。
【００５９】
なお、本発明は以上に詳述した実施形態に限られるものではない。例えば、モータジェネレータ５のアウタ５２の逆方向の回転を阻止するワンウェイクラッチ６１は、必須の要素ではない。内燃機関の始動時やモータアシスト時等に、マグネットクラッチ６２によってアウタ５２を回転不能に固定するものとすれば、ワンウェイクラッチ６１を廃することができる。
【００６０】
アウタ５２と所定の固定部材１４との間に介在する断接切換可能なクラッチ６２は、マグネットクラッチには限定されず、液圧（油圧）により駆動されるクラッチであってもよい。
【００６１】
モータジェネレータ５のアウタ５２からトルクの伝達を受けて駆動される補機７の種類は、ウォータポンプには限定されない。補機７が、エアコンディショナの冷媒圧縮用のコンプレッサ等であってもよい。
【００６２】
モータジェネレータ５のアウタ５２から、複数の補機７に対してトルクを伝達しても構わない。
【００６３】
その他各部の具体的構成は、本発明の趣旨を逸脱しない範囲で種々変形が可能である。
【産業上の利用可能性】
【００６４】
本発明は、駆動源として内燃機関及びモータジェネレータ５が搭載される車両に適用できる。
【符号の説明】
【００６５】
０…制御装置（ＥＣＵ）
１３…内燃機関のクランクシャフト
１４…固定部材（チェーンカバー）
５…モータジェネレータ
５１…インナ
５２…アウタ
６１…ワンウェイクラッチ
６２…断接切換可能なクラッチ（マグネットクラッチ）
７…補機
５２１、７１…歯車伝動機構
【図１】
2014125136.tif 000003
【図２】
2014125136.tif 000004